(57)【要約】【課題】複数の商品を纏めて収納した包装箱に、該包装箱を開封することなく店頭等で選ばれた箱へのみ容易に埋設せしめ、それを取り出して抽選を容易にした抽選付伸縮部材およびそれを埋設した包装箱の提供にある。【解決手段】球形状のスポンジゴムでなる伸縮部材１４の中央内部に当落等を表す抽選情報の印刷物２０が収納されている抽選付伸縮部材１を押し潰し、短側面が上下フラップ１０、１１の先端で線状の間隙Ｓを有し、内部に複数の商品が収納されている包装箱１６の線状の間隙Ｓから挿入され、複数の商品との間隙に埋設されている包装箱１６である。【選択図】図６
2006151410.tif 000002
【特許請求の範囲】
【請求項１】
伸縮部材の内部に抽選情報が印刷された印刷物が収納されていることを特徴とする抽選付伸縮部材。
【請求項２】
前記伸縮部材は、スポンジゴムでなることを特徴とする請求項１記載の抽選付伸縮部材。
【請求項３】
前記伸縮部材の形状は、球形状でなり、中央に抽選情報が印刷された印刷物を収納する空隙が穿設されていることを特徴とする請求項１乃至２のいずれか１項記載の抽選付伸縮部材。
【請求項４】
前記抽選情報が商品情報、当落等を表す個別情報、応募資格、応募条件、景品応募期間等であることを特徴とする請求項１乃至３のいずれか１項記載の抽選付伸縮部材。
【請求項５】
短側面部がフラップ突き合わせ方式の封緘部を有し、該封緘部はフラップの突き合わせ先端で線状の間隙を有し、内部に複数の商品をまとめて収納されている包装箱において、前記線状の間隙から挿入され、前記複数の商品との間隙に前記請求項１乃至４のいずれか１項記載の抽選付伸縮部材が埋設されていることを特徴とする包装箱。
【発明の詳細な説明】
【技術分野】
【０００１】
本発明は、複数のジュース、お茶、あるいはビール等を充填した瓶、缶などの容器（商品）をまとめて包装する包装箱内に、当落等を表す籤券などが収納されている部材に関するものであり、特にその部材を容易に埋設することができ、かつ籤券の抽選を容易にする抽選付伸縮部材およびそれを埋設した包装箱に関するものである。
【背景技術】
【０００２】
従来、複数のジュース、お茶、あるいはビール等を充填した瓶、缶などの容器（商品）をまとめて収納する包装箱に、プレミアム商品を添付する方法として、本発明の出願人が出願したものがあり、例えば、図８（ａ）および図８（ｂ）の斜視図に示すように、ラップランド式の包装箱（１６）の外蓋の上下フラップ（１０、１１）の突き合わされている線状の間隙（Ｓ）に、吊り下げ片（２）と係止片（３）が施されたプレミアム取付表示板（４）の該係止片（３）が挿入され、このプレミアム取付表示板（４）は、図８（ｃ）に示すように、吊り下げ片（２）の裏面と係止片（３）の表面で外蓋の下フラップ（１１）を挟み、かつ缶あるいは瓶等商品（２１）で係合される方法がある（例えば、特許文献１参照。）。
【０００３】
以下に、上記先行技術文献を示す。
【特許文献１】特開２００４−４５８０２号公報
【発明の開示】
【発明が解決しようとする課題】
【０００４】
しかしながら、上記の従来技術においては、このプレミアム取付表示板で表示され、この表示板に連設してプレミアム商品の取付けを行う方法では、このプレミアム商品（景品）が包装箱の外側に取り付けられることになるので、全ての包装箱にプレミアム商品を取り付けるタイプ（ベタ付景品という）のプレミアム取付用には好適であるが、当落、等級等を表す個別情報や商品情報、抽選応募方法等抽選情報が印刷された籤券が収納されていて、「当たり」の場合のみプレミアムを取得する（抽選）タイプ、すなわプレミアム商品（景品）の価格を高額なものに設定し、消費者の箱単位の購買意欲をかき立てるタイプには不向きなものであった。
【０００５】
本発明は、かかる従来技術の問題点を解決するものであり、その課題とするところは、複数の商品をまとめて収納した包装箱に、その包装箱を開封することなく、店頭等で選ばれた箱へのみ容易に埋設する、すなわちベタ付景品としないことを可能にし、それを取り出して抽選を容易にした抽選付伸縮部材およびそれを埋設した包装箱を提供することにある。
【課題を解決するための手段】
【０００６】
本発明に於いて上記課題を達成するために、まず請求項１の発明では、伸縮部材の内部に抽選情報が印刷された印刷物が収納されていることを特徴とする抽選付伸縮部材としたものである。
【０００７】
また、請求項２の発明では、前記伸縮部材は、スポンジゴムでなることを特徴とする請求項１記載の抽選付伸縮部材としたものである。
【０００８】
また、請求項３の発明では、前記伸縮部材の形状は、球形状でなり、中央に抽選情報が
印刷された印刷物を収納する空隙が穿設されていることを特徴とする請求項１乃至２のいずれか１項記載の抽選付伸縮部材としたものである。
【０００９】
また、請求項４の発明では、前記抽選情報が商品情報、当落等を表す個別情報、応募資格、応募条件、景品応募期間等であることを特徴とする請求項１乃至３のいずれか１項記載の抽選付伸縮部材としたものである。
【００１０】
さらにまた、請求項５の発明では、短側面部がフラップ突き合わせ方式の封緘部を有し、該封緘部はフラップの突き合わせ先端で線状の間隙を有し、内部に複数の商品をまとめて収納されている包装箱において、前記線状の間隙から挿入され、前記複数の商品との間隙に前記請求項１乃至４のいずれか１項記載の抽選付伸縮部材が埋設されていることを特徴とする包装箱としたものである。
【発明の効果】
【００１１】
本発明は以上の構成であるから、下記に示す如き効果がある。
【００１２】
即ち、上記請求項１に係る発明によれば、伸縮部材の内部に抽選情報が印刷された印刷物が収納されている抽選付伸縮部材とすることによって、その伸縮自在の部材に抽選情報が印刷された印刷物を収納し、かつ取り出して、当落等を含め抽選情報を確認し、景品等と交換する抽選付伸縮部材とすることができる。
【００１３】
また、上記請求項２に係る発明によれば、前記伸縮部材は、スポンジゴムでなるので、内部に収納されている抽選情報が印刷された印刷物を収納し易くし、かつ取り出し易くした抽選付伸縮部材とすることができる。
【００１４】
また、上記請求項３に係る発明によれば、前記伸縮部材の形状は、球形状でなり、中央に抽選情報が印刷された印刷物を収納する空隙を有していることによって、この伸縮自在の空隙に抽選情報が印刷された印刷物を収納し易くし、かつ取り出し易くするユニークな形状の抽選付伸縮部材とすることができる。
【００１５】
また、上記請求項４に係る発明によれば、前記抽選情報が商品情報、当落等を表す個別情報、応募資格、応募条件、景品応募期間等であるので、購入した消費者は、この抽選情報にしたがって、景品などを受けられる抽選付伸縮部材とすることができる。
【００１６】
さらにまた、上記請求項５に係る発明によれば、短側面部がフラップ突き合わせ方式の封緘部を有し、該封緘部はフラップの突き合わせ先端で線状の間隙を有し、内部に複数の商品をまとめて収納されている包装箱において、前記線状の間隙から挿入され、前記複数の商品との間隙に前記請求項１乃至４のいずれか１項記載の抽選付伸縮部材が埋設されている包装箱とすることによって、この抽選付伸縮部材は球形状のスポンジゴムでなるので、開封せずとも前記線状の間隙から潰して挿入しすることができ、前記複数の商品との間隙に埋設せしめることを可能にした包装箱であり、よって店頭等でも選ばれた箱へのみ容易に埋設でき、ベタ付景品としないことを可能にし、その抽選付伸縮部材を取り出して抽選情報を確認でき、よって消費者の箱単位での購買意欲をかき立てる抽選付伸縮部材を埋設した包装箱とすることができる。
【００１７】
従って本発明は、複数のジュース、お茶、あるいはビール等を充填した瓶、缶などの容器（商品）をまとめて収納する包装箱内に、当落等を表す抽選情報が収納されている部材とそれを埋設した包装箱の如き用途において、優れた実用上の効果を発揮する。
【発明を実施するための最良の形態】
【００１８】
以下本発明を実施するための最良の形態を図面を用いて詳細に説明する。
【００１９】
図１は、本発明の抽選付伸縮部材を構成する伸縮部材の一事例を示す斜視図であり、図２は、本発明の抽選付伸縮部材を構成する伸縮部材に抽選情報が印刷された印刷物を挿入する斜視図であり、図３は、本発明の抽選付伸縮部材の一事例を示す斜視図である。また、図４は、抽選情報が印刷された印刷物の一事例を示す説明図である。また、図５は、本発明の抽選付伸縮部材が埋設される包装箱の一事例を説明する斜視図であり、図６は、本発明の抽選付伸縮部材を平坦に潰して包装箱の内部に埋設せしめる一事例を示す説明図である。また、図７は、本発明の抽選付伸縮部材が埋設された包装箱を説明する斜視図である。
【００２０】
本発明は、例えば、図１〜図４の斜視図に示すように、球形状の伸縮部材（１４）の略中央に、抽選情報（２２）が印刷された印刷物（２０）を丸めて挿入された抽選付伸縮部材（１）である。
【００２１】
上記抽選付伸縮部材（１）は、ウレタン樹脂等スポンジゴムでなる球形状の伸縮部材（１４）で構成されていて、この略中央に抽選情報（例えば、商品情報、「当たり」「外れ」、「一等」「二等」で表す等級、あるいはこれらに相当する絵柄などでなる個別情報、応募資格、応募条件、景品応募期間等）が印刷された印刷物（図示せず）が挿入される収納用空間（１２）が穿設されていて、この伸縮部材（１４）は、半径が１．５〜２ｃｍ程度が好ましく、収納用空間（１２）は、球の中心を通る直径３〜５ｍｍの円筒状の空洞からなっている。
【００２２】
上記伸縮部材（１４）を形成するスポンジゴムとしては、伸縮自在で容易に潰すことができる材質であれば、特に限定するものではないが、潰し易い点などからウレタンゴム、シリコーンゴム、あるいはポリビニールアセタール系スポンジゴムなどが好適に用いることができる。
【００２３】
上記スポンジゴムでなる伸縮部材（１４）の成形法としては、例えば、球形状と中心の収納用空間（１２）用の型内で、ポリオールと過剰量のポリイソシアナートをあらかじめ反応して得られるウレタン結合のみを有する末端イソシアナート基のプレポリマーを発泡させ、硬化させた後、その成形型から外してウレタンゴムでなる伸縮部材（１４）とすることができる。
【００２４】
また、シリコーンゴムでなる伸縮部材（１４）の成形は、例えば、ジオルガノシロキサン、補強用シリカ充填材、ジアシルパーオキサイドなどの有機過酸化物、発泡剤を含むシリコーンゴム組成物（エラストマー）を球形状と中心の収納用空間（１２）用の型内で、加熱することにより発泡させ、硬化させた後、その成形型から外して伸縮部材（１４）とすることもできる。
【００２５】
さらにまた、ポリビニールアセタール系ゴムでなる伸縮部材（１４）の成形は、ポリビニールアルコールを温水に溶解し、５〜１５重量％程度のポリビニールアルコールの水溶液を調製する。そこへ気孔形成材としての澱粉を水に分散した溶液を投入し、更に硫酸とホルムアルデヒドの水溶液を加えたのち、十分に攪拌混合して均一なスラリー状原液とする。
【００２６】
続いて上記原液を、昇温し、上記球形状と中心の収納用空間（１２）用の型中に一定量注入して発泡させ、硬化させた後、その成形型から外して伸縮部材（１４）とすることもできる。
【００２７】
また、例えば、図２の斜視図に示すように、スポンジゴムでなる球形状の伸縮部材（１４）の中央に穿設されている円筒状の収納用空間（１２）に、筒状に丸められた抽選情報が印刷された印刷物（２０）を収納して、図３の斜視図に示すように、球形状の伸縮部材（１４）の中央に穿設されている円筒状の収納用空間（１２）に、筒状に丸められた抽選情報が印刷された印刷物（２０）が収納されている抽選付伸縮部材（１）とするものである。
【００２８】
さらにまた、図４に示すような、球形状の伸縮部材に挿入する抽選情報（２２）が印刷された印刷物（２０）であり、その抽選情報（２２）として、例えば、裏面に印刷されている商品情報に加え、当落、等級等を表す文字、数字、記号やそれらに相当する絵柄などでなる個別情報（２２ａ）と、応募資格、応募条件、景品の応募期間などで構成されている。
【００２９】
上記抽選情報（２２）が印刷された印刷物（２０）のサイズは、４０ｍｍ×１００ｍｍ前後で坪量６０〜８５ｇ／ｍ２  程度の上質紙、コート紙、アート紙が好適に用いることができる。
【００３０】
また、本発明の抽選付伸縮部材が埋設される包装箱は、例えば、図５（ａ）の斜視図に示すように、段ボールシートに印刷加工あるいは耐水、撥水加工等を施した後、所定の形状に打ち抜き、同時に折り罫が施されたブランクを製函したラップランド式の包装箱（１６）で、底面板（７）上に複数の缶や瓶でなる商品（図示せず）を載置し、短側面に折り畳まれ接着されている４枚の左右上下のフラップ（８、９、１０、１１）で封緘されていて、左右フラップ（８、９）の先端で広幅の間隙を形成し、上下フラップ（１０、１１）の先端で線状の間隙を形成し、この左右フラップ（８、９）と上下フラップ（１０、１１）の間隙の重なった部分で内部に貫通する線状の間隙（Ｓ）を形成している包装箱（１６）である。
【００３１】
上記段ボールシートに代え、収納される商品の重量等により板紙を使用することもでき、その板紙としては、坪量４００〜８５０ｇ／ｍ２  程度のマニラボール、チップボール、白ボール等が挙げられる。
【００３２】
また、本発明の抽選付伸縮部材が埋設される包装箱の他の形態として、例えば、図５（ｂ）に示すように、Ａ式の包装箱（１７）とすることもできる。このＡ式の包装箱（１７）は、天面に折り畳まれ接着されている４枚の左右上下フラップ（８、９、１０、１１）で封緘されていて、左右フラップ（８、９）の先端で広幅の間隙を形成し、上下フラップ（１０、１１）の先端で線状の間隙を形成し、この左右フラップ（８、９）と上下フラップ（１０、１１）の間隙の重なった部分で内部に貫通する線状の間隙（Ｓ）を形成しているものである。
【００３３】
さらにまた、上記請求項５に係る発明では、例えば、図６の斜視図に示すように、抽選情報が印刷された印刷物（２０）が丸められて中央に収納されていて、球形状のスポンジゴムでなる抽選付伸縮部材（１）を、その丸められた印刷物（２０）の長手方向と平行になるように潰し、短側面を形成している左右上下フラップ（８、９、１０、１１）の間隙が重なった部分で内部に貫通する線状の間隙（Ｓ）から挿入する。この時上へ押し込むように挿入して外部（線状の間隙（Ｓ））から視認されないようにする。
【００３４】
上記で挿入された抽選付伸縮部材（１）は、例えば、図７（ａ）の斜視図およびそのＢ−Ｂ面を示す図７（ｂ）の側断面図に示すように、内部で脹らんで、上フラップ（１０）と複数本のビール缶でなる商品（２１）との間隙に埋設され固定される包装箱（１６）とするものである。
【００３５】
このように潰された抽選付伸縮部材（１）が線状の間隙（Ｓ）から挿入され、複数の商品（２１）との間隙に、埋設されている包装箱（１６、１７）とするもので、この抽選用伸縮部材（１）は球形状のスポンジゴムでなるので、開封せずとも線状の間隙（Ｓ）から潰して挿入することができ、前記複数のビール缶の商品（２１）との間隙に埋設せしめることを可能にした包装箱（１６、１７）であり、その結果、店頭等でも選ばれた包装箱（１６、１７）へのみ容易に埋設でき、よってベタ付景品としないことを可能にし、その抽選付伸縮部材（１）を取り出して抽選情報を確認することができる。このことによって消費者の箱単位での購買意欲をかき立てる抽選付伸縮部材（１）を埋設した包装箱（１６、１７）とすることができる。
【図面の簡単な説明】
【００３６】
【図１】本発明の抽選付伸縮部材を構成する伸縮部材の一実施の形態を示す斜視図である。
【図２】本発明の抽選付伸縮部材を構成する伸縮部材に抽選情報の印刷物を挿入する一実施の形態を示す斜視図である。
【図３】本発明の抽選付伸縮部材の一実施の形態を示す斜視図である。
【図４】本発明の抽選付伸縮部材に挿入されている抽選情報の印刷物の一事例を示す説明図である。
【図５】本発明の抽選付伸縮部材を埋設する包装箱の事例を説明する斜視図であり、（ａ）は、ラップランド式の包装箱であり、（ｂ）は、Ａ式の包装箱である。
【図６】本発明の抽選付伸縮部材を平坦に潰して包装箱の内部に埋設せしめる一事例を説明する斜視図である。
【図７】本発明の抽選付伸縮部材を包装箱の内部に埋設せしめた一事例を説明するもので、（ａ）は、その斜視図であり、（ｂ）は、（ａ）のＢ−Ｂ面を表す断面図である。
【図８】従来の包装箱にプレミアム商品を添付する方法の一事例で、（ａ）は、その包装箱にプレミアム取付表示板を挿入する斜視図であり、（ｂ）は、プレミアム取付表示板が挿入された包装箱の斜視図であり、（ｃ）は、（ｂ）のＢ−Ｂ面を表す断面図である。
【符号の説明】
【００３７】
１‥‥抽選付伸縮部材
２‥‥吊り下げ片
３‥‥係止片
４‥‥プレミアム取付表示板
６‥‥天面板
７‥‥底面板
８‥‥左フラップ
９‥‥右フラップ
１０‥‥上フラップ
１１‥‥下フラップ
１２‥‥収納用空間
１４‥‥伸縮部材
１６‥‥ラップランド式包装箱
１７‥‥Ａ式包装箱
２０‥‥抽選情報が印刷された印刷物
２１‥‥商品
２２‥‥抽選情報
２２ａ‥‥個別情報
Ｓ‥‥線状の空隙
【図１】
2006151410.tif 000003
【図２】
2006151410.tif 000004
【図３】
2006151410.tif 000005
【図４】
2006151410.tif 000006
【図５】
2006151410.tif 000007
【図６】
2006151410.tif 000008
【図７】
2006151410.tif 000009
【図８】
2006151410.tif 000010